(57)【要約】【課題】常に安定したデータ通信を行う。【解決手段】cdma2000 1x-EV DO方式対応の送受信回路と、cdma2000 1x方式対応の送受信回路とを備え、cdma2000 1x-EV DO方式によって通信を行っている際に、受信データレートが予め設定されている閾値以下となる状態が所定の期間継続した場合に、ＣＰＵ７がcdma2000 1x方式による通信に切替える処理を行う。【選択図】図１
2006345540.tif 000002
【特許請求の範囲】
【請求項１】
複数の異なる通信方式にそれぞれ対応する複数の送受信手段を備え、いずれかの前記通信方式によって通信を行う通信装置において、
所定期間内に受信するデータ量に係る情報に基づいて、いずれかの前記通信方式を選定する通信方式選定手段と、前記選定した通信方式が現時点において採用している通信方式と異なる場合に、現時点で回線が確立されている基地局に対して、前記選定した通信方式に切替える旨の情報を送信する指示を行う送信制御手段と、
前記基地局から前記選定した通信方式に対応する基地局の情報を受信した場合に、前記選定された通信方式に対応する送受信手段に切替える切替手段と、
を具備し、
前記一の通信方式が、端末における基地局からの信号の受信状態に基づいて端末側で下りデータ通信速度を予測し、前記予測下りデータ通信速度を前記基地局へ通知することにより、前記基地局が前記予測下りデータ通信速度でデータを通信する通信方式であり、
現時点において採用している通信方式が該通信方式であった場合において、前記通信方式選定手段が、前記所定期間内に受信するデータ量に係る情報が予め設定されている閾値以下である状態が所定期間継続した場合に、他の通信方式に切替えることを特徴とする通信装置。
【請求項２】
複数の異なる通信方式にそれぞれ対応する複数の送受信手段を備え、いずれかの前記通信方式によって通信を行う通信方法において、
所定期間内に受信するデータ量に係る情報に基づいて、いずれかの前記通信方式を選定するステップと、
前記選定した通信方式が現時点において採用している通信方式と異なる場合に、現時点で回線が確立されている基地局に対して、前記選定した通信方式に切替える旨の情報を送信する指示を行うステップと、
前記基地局から前記選定した通信方式に対応する基地局の情報を受信した場合に、前記選定された通信方式に対応する送受信手段に切替えるステップと、
を具備することを特徴とする通信方法。
【発明の詳細な説明】
【技術分野】
【０００１】
本発明は、複数の通信方式に対応する送受信機能を備え、所定期間内に受信するデータ量に係る情報に応じていずれかの通信方式によって通信を行う通信装置及び通信方法に関する。
【背景技術】
【０００２】
近年、次世代の高速無線通信方式としてcdma2000 1x-EV DO方式が知られている。
上記cdma2000 1x-EV DO方式は、cdma2000 1x方式の拡張方式であるHDR（High Data Rate）方式を標準化した方式として、電波産業界ARIBにおいてStd.T-64 1S-2000 C.S.0024“cdma2000 High Rate Packet Data Air Interface Specification"で標準化されているもので、国内ではARIB T-53、北米、韓国等ではEIA/TIA/IS-95等を拡張し、第３世代方式（３Ｇ）に対応させたcdma2000 1x方式を更にデータ通信に特化して通信速度を改善することを目的とした方式である。
なお、cdma2000 lx-EV DOにおいて、EVはEvolution、DOはData onlyの意である。
【０００３】
cdma2000 1x-EV DO方式では、携帯端末から受信した電波状態を通知する情報に基づいて、基地局が当該端末へ送信するデータの変調方式を切替えることにより、当該端末の電波状態が良好な時は誤り耐性が低いが高速なデータ伝送レート、電波状態が悪いときは低速だが誤り耐性の高いデータ伝送レートを使用することが可能となる。
【０００４】
また、cdma2000 1x-EV DO方式の下り方向（基地局から携帯端末への方向）では、時間を1/600秒単位で分割し、その時間内では一つの携帯端末だけとの通信を行い、通信相手の携帯端末を時間により切替えることにより複数の携帯端末と通信を行う、時分割多重アクセス（TDMA；time division multiplex access）を採用している。これにより、個々の携帯端末に対して最適な電力によるデータ送信を行うことが可能となり、携帯端末に対するデータ通信速度を極大化することができる。
【発明の開示】
【発明が解決しようとする課題】
【０００５】
ところで、上述したcdma2000 1x-EV DO方式は、受信状態が環境条件に応じて非常に大きく変動するという特性を有している。即ち、電波状態（例えば受信電界強度、搬送波対干渉比=ＣＩＲ）の良好な場所では最大2.4Mbpsという高速通信が実現できる反面、受信状態の悪い場所では数10kbps程度にまで通信速度が低下するという欠点がある。
従って、受信状態の良好な場所においては、比較的大きな容量のデータのダウンロードでも快適に短時間で終了することができるのに対し、電波状態が悪く、低い下りデータ通信速度しか得られないような状況で比較的大きな容量のデータのダウンロードを開始してしまうと、データダウンロード終了までに長い時間要することとなり、利用者に対して十分なサービスを行える環境を提供することができないといった問題があった。また、この場合は、通信時間が長期化するため通信費が高額になってしまうという弊害も生ずる。
【０００６】
また、動画データや音楽データをダウンロードしながら、これらのデータの再生も並行して行う（動画や音楽のストリーミング再生）ようなサービスを受ける場合には、通常、所定値以上の下りデータ通信速度が必要とされるが、この時、必要とされる下りデータ通信速度が得られない場合には、画質、音質の低下や動画停止、音の途切れ等の影響が考えられ、十分なサービス品質が得られないといった問題があった。
【０００７】
また、一方では、上述した電波状態が良いにも関わらず、自局の周辺に、自局よりも電波状態の良い他の通信装置が複数存在する場合には、これらの他の通信装置に対してデータ送信のチャネル容量が優先的に割り当てられることとなるため、比較的低速のデータレートが続くこととなる。
このような場合には、携帯端末の表示画面上には電波状態が良いことが示されているにも拘わらず、思うようにデータを受信することができないため、利用者に不信感等を与えかねないといった問題もあった。
【０００８】
本発明は、このような事情に鑑みてなされたもので、常に安定したデータ通信を行うことが可能な通信装置及び通信方法を提供することを目的とする。
具体的には、上述したデータ通信に特化された高速データ通信可能なcdma20001x-EV DO方式と、上述のcdma2000 1x方式とに対応する送受信回路を備え、cdma2000 1x-EV DO方式によるデータ通信において所定期間内に受信するデータ量に係る情報が所定の閾値未満である状態が所定期間継続した場合に、cdma2000 1x方式に通信方式を切替えることにより、常に安定したデータ通信を行うことが可能な通信装置及び通信方法を提供する。
【課題を解決するための手段】
【０００９】
上記目的を達成するために、本発明は、複数の異なる通信方式にそれぞれ対応する複数の送受信手段を備え、いずれかの前記通信方式によって通信を行う通信装置において、所定期間内に受信するデータ量に係る情報に基づいて、いずれかの前記通信方式を選定する通信方式選定手段と、前記選定した通信方式が現時点において採用している通信方式と異なる場合に、現時点で回線が確立されている基地局に対して、前記選定した通信方式に切替える旨の情報を送信する指示を行う送信制御手段と、前記基地局から前記選定した通信方式に対応する基地局の情報を受信した場合に、前記選定された通信方式に対応する送受信手段に切替える切替手段とを具備することを特徴とする通信装置を提供する。
【００１０】
また、前記一の通信無線方式が、端末における基地局からの信号の受信状態に基づいて端末側で下りデータ通信速度を予測し、前記予測下りデータ通信速度を前記基地局へ通知することにより、前記基地局が前記予測下りデータ通信速度でデータを通信するデータ通信方式であり、該データ通信方式を採用している場合において、無線通信方式選定手段が、前記所定期間内に受信するデータ量に係る情報が予め設定されている閾値以下である状態が所定期間（後述する実施形態における第２の所定期間Ｔ（ms））継続した場合に、他の通信方式に切替えることを特徴とする。
【００１１】
このような発明によれば、所定期間内に受信するデータ量に係る情報に基づいて複数搭載している通信方式の中からいずれかの通信方式を選定し、選定した通信方式によって通信を行う。
このように、電波状態に基づいて採用する通信方式を選定するのではなく、実際に所定期間内に受信したデータ量に係る情報（例えば、受信データレート）に基づいて通信方式を選定することにより、例えば、電波状態が良いにも関わらず、自局よりも電波状態が良い通信装置が複数存在することによって、これらの他の通信装置にチャネルが割り当てられてしまい、自局では思うようにデータを受信できないといった状態においても、この状態を脱することができるため、常に、現在採用している通信方式によって最適な通信が行えているか否かを正確に把握することが可能となる。
これにより、常に一定品質以上の安定したデータ通信を提供することが可能となる。
【００１２】
また、データ通信を行う際には、一の通信方式として最速のデータ速度を実現できるcdma2000 1x-EV DO方式を優先させて適用することにより、このcdma2000 1x-EV DO方式によって快適なデータ通信を実現し、また、cdma2000 1x-EV DO方式によって受信するデータ量が低下した状態が所定期間継続した場合においても、他の通信方式に切替えることにより、快適なデータ通信を行うために最低必要とされるデータ通信速度を確保する。
この結果、常に一定品質以上のデータ通信を行うことが可能な通信装置を提供することができる。
なお、他の通信方式としてcdma2000 1x 方式等の端末個別に所定の無線チャネルが割り当てられるような方式を採用することにより、上述した電波状態が良いにも関わらず他の端末にチャネルが割り当てられてしまうという状態を回避できるので、最適な伝送レートを保ったまま快適な通信を継続して行うことが可能となる。
【００１３】
また、本発明は、複数の異なる通信方式にそれぞれ対応する複数の送受信手段を備え、いずれかの前記通信方式によって通信を行う通信方法において、所定期間内に受信するデータ量に係る情報に基づいて、いずれかの前記通信方式を選定するステップと、前記選定した通信方式が現時点において採用している通信方式と異なる場合に、現時点で回線が確立されている基地局に対して、前記選定した通信方式に切替える旨の情報を送信する指示を行うステップと、前記基地局から前記選定した通信方式に対応する基地局の情報を受信した場合に、前記選定された通信方式に対応する送受信手段に切替えるステップとを具備する通信方法を提供する。
【００１４】
更に、本発明は上述した通信装置の機能を実現させるためのプログラムや、該プログラムを記録したコンピュータ読み取り可能な記録媒体を提供する。
【００１５】
また、本発明の通信装置としては、いわゆるＣＤＭＡ（符号分割多重接続）方式やＰＤＣ（Personal Digital Cellular System）方式などの携帯電話機の他、ＰＤＡ（Personal Digital Assistants：個人用情報機器）と称される携帯型の端末も含むものとする。ここで、ＰＤＡの場合、通信手段を内蔵しているもののほか、外部から通信手段を接続するものであっても、本発明の特徴とする後述の発呼（着呼、通信）処理をＰＤＡ本体で行うものについては本発明に含めるものとする。
【発明の効果】
【００１６】
本発明の通信装置によれば、所定期間内に受信するデータ量に係る情報に基づいて複数搭載している通信方式の中からいずれかの通信方式を選定し、選定した通信方式によって通信を行う。このように、電波状態に基づいて採用する通信方式を選定するのではなく、実際に所定期間内に受信したデータ量に係る情報に基づいて通信方式を選定するので、例えば、電波状態が良いにも関わらず、思うようにデータを受信できないといった場合にも、通信方式を切替えることによって、受信データレートが悪い状態から脱することが可能となり、常に、一定品質以上の安定したデータ通信を提供することが可能となる。
【００１７】
また、データ通信を行う際には、一の通信方式として最速のデータ速度を実現できるcdma2000 1x-EV DO方式を優先させて適用することにより、このcdma2000 1x-EV DO方式によって快適なデータ通信を実現し、また、cdma2000 1x-EV DO方式によって所定期間内に受信するデータ量に係る情報が低下した状態が所定期間継続した場合においても、他の通信方式に切替えることにより、快適なデータ通信を行うために最低必要とされるデータ通信速度を確保する。
この結果、常に一定品質以上のデータ通信を行うことが可能な通信装置を提供することができる。
【００１８】
なお、他の通信方式としてcdma2000 1x 方式等の端末個別に無線チャネルが割り当てられるような方式を採用することにより、上述した電波状態が良いにも関わらず他の端末にチャネルが割り当てられてしまうという状態を回避できるので、最適な伝送レートを保ったまま快適な通信を継続して行うことが可能となる。
【発明を実施するための最良の形態】
【００１９】
以下、図面を参照し、本発明の一実施形態について説明する。
図１は、本発明の一実施形態に係る通信装置として携帯電話機を例に挙げた場合の内部構成を示すブロック図である。
図１に示すように、本実施形態に係る携帯電話機は、アンテナ１、複数の異なる無線通信方式にそれぞれ対応する複数の受信回路を備えるマルチ受信回路３、マルチ受信回路３から出力された信号をディジタル処理する信号処理回路５、当該端末を構成する各部の制御等を行うＣＰＵ７、複数の異なる無線通信方式にそれぞれ対応する複数の送信回路を備えるマルチ送信回路８、種々のプログラムが格納されているＲＯＭ１０、ＲＡＭ１１、キーパッド、キーボード等の操作部１２、液晶表示パネル等からなる表示部１３、及び第２の所定期間が予め設定されており、ＣＰＵ７の指示により第２の所定期間を計時するタイマ１４を備えている。
【００２０】
上記マルチ受信回路３は、cdma2000 1x-EV DO方式に対応する受信回路と、cdma2000 1x方式に対応する受信回路とからなる２つの受信回路を備えており、ＣＰＵ７から入力される切替え信号に基づいて、基地局側からのデータを受信する回路を切替える。
同様に、上記マルチ送信回路８も、cdma2000 1x-EV DO方式に対応する送信回路とcdma2000 1x方式に対応する送信回路とからなる２つの送信回路を備えており、ＣＰＵ７から入力される切替え信号に基づいてデータを送信する回路を切替える。
このように、本実施形態に係る携帯電話機は、複数の異なる無線通信方式にそれぞれ対応する複数の受信回路、送信回路を備え、当該携帯電話機が所定期間内に受信したデータ量に応じてこれらの通信方式を切替えることにより、安定したデータ通信を確保する。
【００２１】
また、ＲＯＭ１０にはＣＰＵ７が実行する種々のプログラムが格納されており、ＣＰＵ７はこのＲＯＭ１０に格納されているプログラムをロードして実行することにより、様々な処理を行う。また、ＲＡＭ１１には、ＣＰＵ７が実行する処理過程において発生したデータ等が格納される。
なお、当該携帯電話機を無線モデムとして使用できるように、パーソナルコンピュータ（ＰＣ）との外部インターフェース（例えばシリアルポート、パラレルポート、ＵＳＢ、blue-tooth、赤外線通信、１０base-T LAN等）を更に備えるようにしてもよい。
【００２２】
次に、上記構成からなる携帯電話機の動作について説明する。
まず、利用者は、データのダウンロードを希望する場合、操作部１２を操作することにより、データ通信に必要な接続先アドレスやダウンロードするデータ等の情報の設定を行う。係る操作によりダウンロードの指示がなされると、当該ダウンロード要求情報は操作部１２からＣＰＵ７へ出力される。ＣＰＵ７は、ダウンロードの開始要求を受け取ると、マルチ受信回路３及びマルチ送信回路８に対して、cdma2000 1x-EV DO方式対応の受信回路３１、送信回路８１をそれぞれ選択する旨の切替え信号を出力する。
これにより、マルチ受信回路３及びマルチ送信回路７はそれぞれcdma2000 1x-EV DO方式対応受信回路３１、cdma2000 1x-EV DO方式送信回路８１を選択する。
【００２３】
続いて、ＣＰＵ７は、信号処理部５に対して操作部１２から入力されたダウンロード接続先アクセス、ダウンロードするデータ等のダウンロードに係る情報を出力する。信号処理部５に入力された当該ダウンロードに係る情報は、信号処理部５においてディジタル処理が施され、その後、マルチ送信回路８のcdma2000 1x-EV DO方式対応送信回路８１によって所定の変調方式に基づいて変調され、アンテナ１を介して現在回線が確立されているcdma2000 1x-EV DO方式対応基地局３０（図３参照）へ送信される。
【００２４】
ここで、図３に当該携帯電話機、当該携帯電話機が搭載する複数の異なる通信方式に対応する各基地局、複数の基地局を統括する局交換機からなるネットワーク構成図を示す。
同図において、符号３０は、現在携帯電話機と回線が確立されているcdma20001x-EV DO方式対応基地局であり、符号５０は当該携帯電話機と通信可能なエリアに存在するcdma2000 1x方式対応基地局である。また、符号７０は局交換機であり、異なる無線通信方式に対応する複数の基地局を統括する。
【００２５】
cdma2000 1x-EV DO方式対応基地局３０（以下、基地局３０と略称する）は、携帯電話機から受信した当該ダウンロードに係る情報を受信すると、この情報を自局（基地局３０）を統括している局交換機７０へ送信する。
局交換機７０は、基地局３０から受信したダウンロードに係る情報に基づいてアクセス先へと回線接続要求を出す。これにより、アクセス先が回線接続要求に応じれば、当該携帯電話機とダウンロードアクセス先との回線が確立され、データのダウンロードが開始されることとなる。即ち、アクセス先からのダウンロードデータは、局交換機７０、基地局３０を介して当該携帯電話機へ送信される。
【００２６】
このとき、当該携帯電話機には、ダウンロードアクセス先からのダウンロードデータとともに、このデータと多重するような形で基地局３０のパイロット信号（基地局と当該携帯電話機との電波状態を表す信号）が送信されてくる。
このパイロット信号は、当該携帯電話機と基地局間で行われるデータ通信速度を決定するのに重要な信号であり、ダウンロードデータに多重された形で基地局３０から1/600秒毎に送信される。このパイロット信号及びダウンロードデータが多重された信号は、アンテナ１を経由してマルチ受信回路３のcdma2000 1x-EV DO方式対応受信回路３１に入力される。
【００２７】
cdma2000 1x-EV DO方式対応受信回路３１は、基地局３０から受信した受信信号の変調方式に対応する復調方式で、ベースバンド帯域の受信信号から多重化信号を復調する。なお、本実施形態においては、ＱＰＳＫ（quadriphase phase shift keying）、８ＰＳＫ（８ phase shift keying）、１６ＱＡＭ（１６ quadriphase amplitude modulation）の３種のいずれかの復調方式によって復調を行う。
【００２８】
そして、cdma2000 1x-EV DO方式対応受信回路３１によって復調された当該受信データは、続く信号処理回路５へ送信される。
まず、信号処理回路５は、マルチ受信回路３から受信したスペクトル拡散されている受信多重化信号をスペクトル逆拡散することにより、パイロット信号とダウンロードデータとを分離し、分離したダウンロードデータを復号化してＣＰＵ７へ出力する。
【００２９】
一方、信号処理回路５は、更に、パイロット信号に基づいて、Ec/Io（パイロット信号強度対全受信信号強度)を求め、以下に示す（１）式に基づいてＣＩＲ（搬送波対干渉比）を算出する。
ＣＩＲ=(Ec/lo)/(１-Ec/lo)…（１） 続いて、信号処理回路５は、算出したＣＩＲに基づいて、次の受信スロットタイミング(ここで、1スロットは1.66ms=1/600秒)におけるＣＩＲの値を予測する。ここでの予測の方法については、特に限定しないが、線形予測等の方法が例として挙げられる。 なお、何スロット後のＣＩＲを予測すればよいかを指示する情報は、当該携帯電話機の電源オン時に基地局から送信されてくる種々の制御信号に含まれている。
【００３０】
このようにして、信号処理部５は次の受信スロットタイミングにおけるＣＩＲを予測すると、この予測ＣＩＲをデータ通信速度を示すＤＲＣ値に変換する処理を行う。これは、予めＲＡＭ１１等に記憶されている所定の変換テーブルを参照することにより、対応する値を読み出すだけで求められる。なお、ここで求められるＤＲＣ（予測データ通信速度）は、予測ＣＩＲに基づいて求められた値であるため、次の受信スロットタイミングにおけるデータ通信速度ということができる。なお、ここで得られたＤＲＣの値を予測データ通信速度とする。
信号処理部５は、上述した一連の処理を行うことにより、予測データ通信速度を得ると、この値を基地局へ送信する。
【００３１】
一方、信号処理回路５が受信したデータ、即ち基地局からパイロット信号と共に受信し、信号処理回路５によって分離されたデータ（ダウンロードしたデータ）は、ＣＰＵ７に入力される。このようにしてＣＰＵ７は受信データを取得すると、この受信データレートＤ１（予め設定されている所定期間に受信した受信データ量に基づいて算出される）に基づいて、通信方式を切替えるか否かの通信方式切替判断処理を行う。以下、ＣＰＵ７によって行われる通信方式切替判断処理について図２を参照して説明する。なお、図２に示す通信方式切替判断処理は、ＣＰＵ７により、所定のタイミングで繰り返し行われる。
【００３２】
まず、ＣＰＵ７は、受信データレートＤ１がＲＡＭ１１に予め格納されている閾値Ｄ＿ＬＭＴを超えているか否かを判断する（図２のステップＳＰ１１）。
ここで、受信データレートＤ１とは、第１の所定期間Ｔｄ［ms］内に当該携帯電話機が受信するデータ量に基づいて算出される。
なお、上記第１の所定期間Ｔｄ［ms］内に受信するデータ量は、純粋に基地局から受信したデータ量、又はアプリケーション上で算出される正確なデータ量でもよく、いずれも受信データを示す値であれば多少の誤差があってもかまわない。例えば、受信データレートＤ１の算出手法として、以下のような４つの手法が挙げられる。
【００３３】
１．信号処理部５から出力される受信データ量を第１の所定期間Ｔｄ［ms］において計測し、計測した全受信データ量を前記第１の所定期間Ｔｄ［ms］で割ることによって、受信データレートＤ１を算出する。
２．無線通信の最小の周期である１フレームにおける受信データ量を計測し、この受信データ量に１秒間に受信するフレーム数Ｎを乗算することにより、瞬間受信データレートを算出する。この処理を１秒間続けると、Ｎ個の瞬間受信データレートが算出される。そして、このＮ個の瞬間受信データレートの平均（平均瞬間受信データレート）を受信データレートＤ１とする。この場合、第１の所定期間Ｔｄ［ms］＝１秒となる。
３．また、第１の所定期間Ｔｄ［ms］＞１秒と設定されていた場合には、上述した第２の手法による平均瞬間受信データレートの算出を第１の所定期間Ｔｄ［ms］繰り返し行う。そして、第１の所定期間Ｔｄ［ms］における平均瞬間受信データレートの平均を受信データレートＤ１とする。
４．上述した第２の手法によって求められる瞬間受信データレート自体を受信データレートＤ１と見なす。なお、この場合は、第１の所定期間Ｔｄ［ms］＝１フレームを受信する期間となる。
【００３４】
この結果、データレートＤ１が閾値Ｄ＿ＬＭＴ以下であれば（ステップＳＰ１１において「NO」）、ステップＳＰ１２に進み、タイマ１４が起動しているか否かを判断する。この結果、タイマ１４が起動していなければ（ステップＳＰ１２において「NO」）、ステップＳＰ１３に進み、タイマ１４を起動させる。これにより、タイマ１４は予め設定されている第２の所定期間Ｔ（ms）の計時を開始する。
一方、ステップＳＰ１２においてタイマ１４が起動していれば（ステップＳＰ１２において「YES」）、そのまま当該処理を終了する。
【００３５】
一方、ステップＳＰ１１において、受信データレートＤ１が閾値Ｄ＿ＬＭＴを超えていた場合は（ステップＳＰ１１において「YES」）、ステップＳＰ１４ヘ進み、タイマ１４が起動しているか否かを判断する。この結果、タイマ１４が起動していれば（ステップＳＰ１４において「YES」）、ステップＳＰ１５に進み、タイマ１４をリセットした後、タイマ１４を停止させて当該処理を終了する。
一方、ステップＳＰ１４においてタイマ１４が起動していなければ（ステップＳＰ１４において「NO」）、そのまま当該処理を終了する。
【００３６】
ここで、図４及び図５に受信データレートＤ１の時間的推移の一例を示す。図４及び図５において、縦軸は受信データレート又は電波状態（パイロットストレングス）を示し、横軸は時間を示している。なお、両図において、電波状態Ｐｈは快適なデータ通信を確保できる閾値であるＴ＿Ｃｉｒを常に超えている。
そして、両図に示すように、時刻ｔ１において受信データレートＤ１が閾値Ｄ＿ＬＭＴを下回ると、ＣＰＵ７はタイマ１４を起動させ、ここから所定期間Ｔ（ms）の計時が開始される。
そして、図４に示すように、受信データレートＤ１が閾値以下になった時刻ｔ１から所定期間Ｔ（ms）経過する前に、即ち時刻ｔ２において再度閾値Ｄ＿ＬＭＴ以上となると、その時点（時刻ｔ２）においてタイマ１４がリセットされて停止される。
一方、図５に示すように、受信データレートＤ１が閾値Ｄ＿ＬＭＴ以下である状態が所定期間Ｔ（ms）継続すると、所定期間Ｔ（ms）が経過した時点でタイマ１４がタイムアップし、その旨がＣＰＵ７へ通知される。具体的には、タイマからタイムアップした旨を示す信号がＣＰＵ７へ出力される。
【００３７】
ＣＰＵ７は当該信号を受信すると、快適なデータ通信が行えていないと判断して、cdma2000 1x-EV DO方式からcdma2000方式への切替えを決定し、以下に述べる無線通信方式切替処理を行う。
【００３８】
まず、ＣＰＵ７は、通信方式切替え指示情報を信号処理部５へ出力する。出力された通信方式切替え指示情報は、信号処理部５によって符号化され、更にマルチ送信回路３のcdma2000 1x-EV DO方式対応送信回路８１によって所定の変調方式に基づいて変調され、アンテナ１を経由して現在通信が確立されている基地局３０へ送信される。
【００３９】
基地局３０は、当該携帯電話機からの情報を局交換機７０へ送信する。局交換機７０は、基地局３０から通信方式切替え指示情報を受け取ると、基地局３０に対応付けられているcdma2000 1x方式対応基地局の情報、即ち基地局５０の情報を取得し、この基地局５０の情報を基地局３０に送信する。
ここで、局交換機７０は、自局が管理している基地局の範囲内において、各通信方式間において基地局の切替えを行う場合に、互いに切替可能な基地局の情報が対応付けられて格納されている基地局テーブルを有している。そして、自己の管理下にある基地局から通信方式切替え指示情報を受け取った場合には、このテーブルを参照することにより、当該通信方式切替え指示情報を当局に送信してきた基地局に対応する他の通信方式対応の基地局情報を取得し、この基地局情報を当該通信方式切替え指示情報の送信先へと送信する。
また、局交換機は基地局へ他の通信方式対応の基地局情報をすると、この基地局へのデータ送信を停止する。
【００４０】
基地局３０は、局交換機７０から基地局５０の情報を受信すると、この情報を携帯電話機へ送信する。
係る処理により、基地局５０の情報は当該携帯電話機のアンテナ１を経由し、cdma2000 1x-EV DO方式対応受信回路３１によって復調され、信号処理回路５によって所定のディジタル処理が施されて、ＣＰＵ７へ入力される。ＣＰＵ７は新たに通信を開始する基地局の情報を取得すると、新たな基地局５０と通信を開始すべく、マルチ受信回路３及びマルチ送信回路８に対して、cdma2000 1x方式対応受信回路、cdma2000 1x方式送信回路へ切替える旨の切替信号を出力する。
これにより、マルチ受信回路３は、cdma2000 1x-EV DO方式対応受信回路３１からcdma2000 1x方式対応受信回路３２へ切替え、同様にマルチ送信回路８はcdma2000 1x-EV DO方式対応送信回路８１からcdma2000 1x方式対応送信回路へ切替える。
【００４１】
そして、ＣＰＵ７は、新たに通信を開始する基地局であるcdma2000 1x方式対応基地局５０との回線を確立する種々の処理を行う。これにより、cdma2000 1x方式対応基地局５０との回線が確立されると、基地局５０は局交換機７０に対して当該携帯電話機と回線が確立した旨の情報を送信する。局交換機７０は、基地局５０との回線が確立されたことを認識すると、中断していた携帯電話機へのデータダウンロードを基地局５０を介して再開する。
これにより、通信方式の切替えが完了し、基地局５０を介したcdma2000 1x方式によるデータのダウンロードが開始される。
【００４２】
なお、上述のデータ通信方式の切替えに係る一連の処理は、データ通信が行われている期間のみ必要な処理となるため、ＣＰＵ７は、上述の受信データレートＤ１と閾値Ｄ＿ＬＭＴとの比較処理が終了した後、一度、データ通信が継続されているか否かを判断し、データ通信が終了した時点で上述のデータ通信方式の切替に係る一連の処理、即ち図２に示した通信方式切替判断処理を終了する。
【００４３】
上述したように、本実施形態では、cdma2000 1x-EV DO方式を使用してデータ通信を行うのが前提であるが、場所、周辺に存在する他の通信装置等の要因によってcdma2000 1x-EV DO方式による電波受信強度がデータ通信を快適に行える値を示しているにも関わらず、受信データレートが思うような値を示さなかった場合には、快適なデータ通信の環境を利用者に対して提供できないと判断して、他の通信方式であるcdma2000 1x方式へ通信方式を切替え、最低のデータ通信速度を確保する。
このように、より電波状態のよい端末へチャネルを割当て、データ送信を高速で行うことを目的とするcdma2000 1x-EV DO方式に対し、cdma2000 1x方式では、全ての端末に対して必ずチャネルが割り当てられるため、電波状態が良好であれば、cdma2000 1x方式によっても、快適なデータ通信を確保することができる。
【００４４】
また、上述の説明において、cdma2000 1x-EV DO方式対応基地局３０、cdma2000 1x方式対応基地局５０は、共に、利用者の移動に伴って、同じ無線通信方式の範囲で任意に切り替わっているものとする。即ち、通信装置の移動により通常のハンドオーバーは行われている。
【００４５】
以上、この発明の実施形態を図面を参照して詳述してきたが、具体的な構成はこの実施形態に限られるものではなく、この発明の要旨を逸脱しない範囲の設計等も含まれる。
【００４６】
例えば、上述した実施形態において、マルチ受信回路３及びマルチ送信回路８は、共にcdma2000 1x-EV DO方式、cdma2000 1x方式に対応する受信回路、送信回路をそれぞれ備えていたが、無線通信方式はこれらに限定されず、その他の無線通信方式による受信回路、送信回路を採用するようにしてもよい。
即ち、上記無線通信方式以外の無線通信方式に対応する受信回路、送信回路を上記受信回路、送信回路に代えて設けるようにしてもよいし、上記受信回路、送信回路に更に他の無線通信方式に対応する受信回路及び送信回路を追加することも可能である。
【００４７】
また、基地局から送信されてくるパイロット信号は、当該通信装置がデータ通信を行う、行わないに関わらず、常に基地局から所定期間毎に送信されている情報であるが、本発明に関してはデータ通信中における無線通信方式の切替えが発明の要旨となるため、データ通信を行っていないときの制御状態については、説明を省略する
【図面の簡単な説明】
【００４８】
【図１】本発明の一実施形態に係る通信装置として携帯電話機を例に挙げた場合の内部構成を示すブロック図である。
【図２】本発明の一実施形態に係る通信方式切替判断処理を示すフローチャートである。
【図３】本発明の一実施形態に係るネットワーク構成を示す図である。
【図４】受信データレートの時間的推移の一例を示す図である。
【図５】受信データレートの時間的推移の一例を示す図である。
【符号の説明】
【００４９】
１…アンテナ、  ３…マルチ受信回路、  ５…信号処理回路、  ７…ＣＰＵ、  ８…マルチ送信回路、  １０…ＲＯＭ、  １１…ＲＡＭ、  １２…操作部、  １３…表示部、  １４…タイマ、  ３０…cdma2000 1x-EV DO方式対応基地局、  ３１…cdma2000 1x-EV DO方式対応受信回路、  ３２…cdma2000 1x方式対応受信回路、  ５０…cdma2000 1x方式対応基地局、  ７０…局交換機、  ８１…cdma2000 1x-EV DO方式対応送信回路、  ８２…cdma2000 1x方式対応送信回路
【図１】
2006345540.tif 000003
【図２】
2006345540.tif 000004
【図３】
2006345540.tif 000005
【図４】
2006345540.tif 000006
【図５】
2006345540.tif 000007